(57)【要約】【課題】  外部機器から電子機器を取り外す場合などに、当該電子機器を把持したユーザの手と電子機器が有する接続部とが接触する恐れがある。【解決手段】  外部機器により供給される電力を充電するバッテリを有する電子機器において、第一のコネクタが第一の側面に配置され、前記バッテリと電気的に接続される。第二のコネクタが第二の側面に配置され、前記第一のコネクタと電気的に接続される。回路が、前記外部機器の有する第三のコネクタが接続した前記第一のコネクタまたは前記第二のコネクタのいずれか一方のコネクタとは異なる他方のコネクタに対して前記バッテリを充電する電力の流入を遮断させる。【選択図】図６
2015056035.tif 000002
【特許請求の範囲】
【請求項１】
外部機器により供給される電力を充電するバッテリを有する電子機器において、
第一の側面に配置され、前記バッテリと電気的に接続される第一のコネクタと、
第二の側面に配置され、前記第一のコネクタと電気的に接続される第二のコネクタと、
前記外部機器の有する第三のコネクタが接続した前記第一のコネクタまたは前記第二のコネクタのいずれか一方のコネクタとは異なる他方のコネクタに対して前記バッテリを充電する電力の流入を遮断させる回路と、
を備えることを特徴とする電子機器。
【請求項２】
前記第一のコネクタと前記第二のコネクタとを接続する第一のケーブルと
前記第二のコネクタと前記電力が供給される装置とを接続する第二のケーブルとを有し、
前記第一のケーブルと前記第二のケーブルとが同じ長さであることを特徴とする請求項１に記載の電子機器。
【請求項３】
前記第一の側面に対向する第三の側面と前記第二の側面に対向する第四の側面とに無線信号を送受信するアンテナを備えることを特徴する請求項１または２に記載の電子機器。
【請求項４】
外部機器により供給される電力を充電するバッテリを有する電子機器において、
前記外部機器が送信する信号を受信する受信手段と、
前記受信手段が前記外部機器との電気的な接続状態を示す信号を受信した場合に、該接続状態を示す信号と前記電力を給電するコネクタとが対応付けられたテーブルを参照し、前記電力を給電するコネクタとは異なるコネクタに対して前記電力の流入を遮断させる制御手段と、
を備えることを特徴とする電子機器。
【発明の詳細な説明】
【技術分野】
【０００１】
本発明は、コネクタを有する電子機器に関する。
【背景技術】
【０００２】
タブレットＰＣ、スレートＰＣなどの電子機器は、指やタッチペンなどがディスプレイに接触あるいは接近した場合に、入力指示として検知し、検知された処理の実行をする。そして、当該電子機器は、クレイドルと呼ばれる外部機器と接続して充電等を行う。
【０００３】
ここで、データ処理部で処理したデータを表示するディスプレイにおいて、ディスプレイ側横長用接続部とディスプレイ側縦長用接続部とを有し、ディスプレイを横長向に配置して横長なディスプレイとして使用するときには、ディスプレイ側横長用接続部をデータ処理部が有する接続部に接続し、ディスプレイ部を縦長方向に配置して縦長なディスプレイとして使用するときには、ディスプレイ側縦長用接続部をデータ処理部が有する接続部に接続する技術が知られている（例えば、特許文献１参照）。
【先行技術文献】
【特許文献】
【０００４】
【特許文献１】特開２００３−２９３３７０号公報
【発明の概要】
【発明が解決しようとする課題】
【０００５】
しかしながら、外部機器から電子機器を取り外す場合などに、当該電子機器を把持したユーザの手と電子機器が有する接続部とが接触する恐れがある。
【０００６】
本発明の一つの形態では、安全性を考慮したコネクタを有する電子機器を提供することを目的にする。
【課題を解決するための手段】
【０００７】
外部機器により供給される電力を充電するバッテリを有する電子機器において、第一のコネクタが第一の側面に配置され、前記バッテリと電気的に接続される。第二のコネクタが第二の側面に配置され、前記第一のコネクタと電気的に接続される。回路が、前記外部機器の有する第三のコネクタが接続した前記第一のコネクタまたは前記第二のコネクタのいずれか一方のコネクタとは異なる他方のコネクタに対して前記バッテリを充電する電力の流入を遮断させる。
【発明の効果】
【０００８】
本発明の一つの形態では、安全性を考慮したコネクタを有する電子機器を提供することが可能となる。
【図面の簡単な説明】
【０００９】
【図１】本実施形態におけるシステムの外観構成を示す図である。
【図２】外部機器２に対して電子機器１を取り外した状態（２−ａ）と、取り付けた状態（２−ｂ）を示す図である。
【図３】外部機器２に対して電子機器１を取り外した状態（３−ａ）と、取り付けた状態（３−ｂ）を示す図である。
【図４】電子機器１のハード構成例を示す図である。
【図５】外部機器２のハード構成例を示す図である。
【図６】電子機器１の分解図である。
【図７】図６に示すコネクタの拡大図である。
【図８】電子機器１の有する電源回路９０の一例を示す図である。
【図９】電子機器１と外部機器２との機能ブロックを示す図である。
【図１０】検知回路３００の一例を示す図である。
【図１１】検出テーブル１０００の一例を示す図である。
【図１２】第二実施例による外部機器２の動作説明するフローチャート図である。
【図１３】第二実施例による電子機器１の動作説明するフローチャート図である。
【図１４】ディスプレイ１１に出力される画面の一例を示す図である。
【発明を実施するための形態】
【００１０】
図１は、本実施形態におけるシステムの外観構成を示す図である。図１に示すシステムは、電子機器１、外部機器２、入力装置３を有する。
【００１１】
電子機器１は、薄い箱型の筐体により構成される。筐体の中には後述するディスプレイ１１が組み込まれている。筐体が構成する６面のうち面積の広い正面が表示面となる。そして、電子機器１は、筐体の側面の長手方向と短手方向とのそれぞれに外部機器２と接続する接続部を有する。例えば、電子機器１は、スレートＰＣ（Ｐｅｒｓｏｎａｌ  Ｃｏｍｐｕｔｅｒ）、タブレットＰＣなどのパーソナルコンピュータ、スマートフォン、テレビジョン、携帯電話機などである。
【００１２】
外部機器２は、電子機器１を設置する設置台である。外部機器２は、外部電源と接続され、電子機器１に対して外部電源からの電力を供給する。また、外部機器２は、電子機器１との間で、画像データ、音声データなどの各種の信号が送受される。例えば、外部機器２は、クレイドル、ドッキングステーションなどである。
【００１３】
入力装置３は、外部機器２に対して無線通信により入力信号を送信する装置である。例えば、キーボード、マウスなどである。
【００１４】
図２、図３は、外部機器２に対して電子機器１を取り外した状態（２−ａ、３−ａ）と、取り付けた状態（２−ｂ、３−ｂ）を示す図である。
【００１５】
電子機器１は、ディスプレイ１１と横置き用接続部１２と縦置き用接続部１３とを有する。外部機器２は、背面部２１、土台部２２、設置用接続部２３を有する。
【００１６】
ディスプレイ１１は、長方形状の画面である。横置き用接続部１２は、外部機器２に対して電子機器１を横置きに設置して、設置用接続部２３と接続するための接続部である。縦置き用接続部１３は、外部機器２に対して電子機器１を縦置きに設置して、設置用接続部２３と接続するための接続部である。
【００１７】
背面部２１は、外部機器２の底面に対して傾斜した面で、電子機器１のディスプレイが組み込まれた面と対向する面と接触し、当該外部機器２を支持する。これにより、ディスプレイは、ユーザ側に向いて傾斜して配置されるため、ユーザはディスプレイを見やすくなる。また、ユーザはタッチパネルによる操作が行いやすくなる。土台部２２は、電子機器１と嵌合する。土台部２２の底部には、電子機器１の有する横置き用接続部１２または縦置き用接続部１３と接続する設置用接続部２３を有する。
【００１８】
図２を参照して、外部機器２に対して電子機器１を横置きに設置して使用する場合について説明する。
【００１９】
電子機器１は、外部機器２に設置することで、横置き用接続部１２は、設置用接続部２３に接続される。電子機器１は、横置き用接続部１２と設置用接続部２３とを介して電気的に接続され、充電することができる。また、外部機器２は、横置き用接続部１２と設置用接続部２３とを介して電子機器１との間で、各種の信号が送受される。電子機器１を外部機器２から取り外した場合には、横置き用接続部１２は設置用接続部２３から分離する。
【００２０】
図３を参照して、外部機器２に対して電子機器１を縦置きに設置して使用する場合について説明する。
【００２１】
電子機器１は、外部機器２に設置することで、縦置き用接続部１３は設置用接続部２３に接続される。電子機器１は、縦置き用接続部１３と設置用接続部２３とを介して電気的に接続され、充電することができる。また、外部機器２は、縦置き用接続部１３と設置用接続部２３とを介して電子機器１との間で、各種の信号が送受される。電子機器１を外部機器２から取り外した場合には、縦置き用接続部１３は設置用接続部２３から分離する。
【００２２】
このように、横置き用接続部１２と縦置き用接続部１３とから、設置用接続部２３と接続する接続部を選択することにより、ディスプレイ１１を縦長で使用するか、横長で使用するかを選択することができる。これにより、ユーザが見やすいディスプレイの方向を選択して使用することができる。
【００２３】
図４は、本実施形態による電子機器１のハード構成例である。電子機器１は、ＣＰＵ（Ｃｅｎｔｒａｌ  Ｐｒｏｃｅｓｓｉｎｇ  Ｕｎｉｔ）４１、メモリ４２、記憶装置４３、入出力インターフェース４４、表示装置４５、検出装置４６、通信モジュール４７、アンテナ４８、バス４９を有する。
【００２４】
ＣＰＵ４１は、各種ソフトウェアを実行する他に電子機器１を制御するプログラムを実行する演算装置である。
【００２５】
メモリ４２は、ＣＰＵ４１がプログラムを実行するために使用される記憶装置である。メモリ４２には、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などを使用することができる。ＲＡＭは、ＣＰＵ４１が命令を実行するときのワークエリアとして利用される。
【００２６】
記憶装置４３は、ＣＰＵ４１により実行されるプログラムや、各種情報を記憶している。記憶装置４３の一例として、磁気ディスク装置、光ディスク装置、光磁気ディスク装置、テープ装置、ハードディスクドライブ、ＳＳＤ（Ｓｏｌｉｄ  Ｓｔａｔｅ  Ｄｒｉｖｅ）が挙げられる。
【００２７】
入出力インターフェース４４は、外部機器２をバス４９に接続する。入出力インターフェース１６は、外部機器２が出力した信号を、バス４９を介してＣＰＵ４１に出力する。ＣＰＵ４１が出力した信号を、バス４９を介して外部機器２に出力する。
【００２８】
表示装置４５は、カーソル、アイコンあるいはツールボックスをはじめ、文書、画像、機能情報などのデータをディスプレイ１１に表示する装置である。表示装置４５は、ディスプレイ１１を含む。ディスプレイの一例として、Ｔｈｉｎ  Ｆｉｌｍ  Ｔｒａｎｓｉｓｔｏｒ（ＴＦＴ）液晶ディスプレイ、プラズマディスプレイ、有機ＥＬディスプレイが挙げられる。
【００２９】
検出装置４６は、表示装置４５上で操作された情報を検出する。検出装置４６は、静電容量方式により、タッチパネル上で指示体が操作した情報を検出し、検出した情報をＣＰＵ４１に出力する。
【００３０】
通信モジュール４７は、アンテナ４８を介して信号を受信し、受信信号をＣＰＵ４１へ出力する。また、通信モジュール４７は、アンテナ４８を介して、ＣＰＵ４１によって生成された信号を送信する。
【００３１】
図５は、本実施形態による外部機器２のハード構成例である。外部機器２は、ＣＰＵ５１、メモリ５２、記憶装置５３、入出力インターフェース５４、通信インターフェース５５、バス５６を有する。
【００３２】
ＣＰＵ５１は、各種ソフトウェアを実行する他に外部機器２を制御するプログラムを実行する演算装置である。
【００３３】
メモリ５２は、ＣＰＵ５１がプログラムを実行するために使用される記憶装置である。メモリ５２には、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などを使用することができる。ＲＡＭは、ＣＰＵ５１が命令を実行するときのワークエリアとして利用される。
【００３４】
記憶装置５３は、ＣＰＵ５１により実行されるプログラムや、各種情報を記憶している。記憶装置５３の一例として、磁気ディスク装置、光ディスク装置、光磁気ディスク装置、テープ装置、ハードディスクドライブ、ＳＳＤ（Ｓｏｌｉｄ  Ｓｔａｔｅ  Ｄｒｉｖｅ）が挙げられる。
【００３５】
入出力インターフェース５４は、電子機器１をバス５６に接続する。入出力インターフェース５４は、電子機器１が出力した信号を、バス５６を介してＣＰＵ５１に出力する。ＣＰＵ５１が出力した信号を、バス５６を介して電子機器１に出力する。
【００３６】
通信インターフェース５５は、バス５６と、ネットワーク４とを接続する。通信回線を通じてネットワークとなるＬｏｃａｌ  Ａｒｅａ  Ｎｅｔｗｏｒｋ（ＬＡＮ）、Ｗｉｄｅ  Ａｒｅａ  Ｎｅｔｗｏｒｋ（ＷＡＮ）、インターネットなどに接続され、ネットワーク２を介して他の装置に接続される。通信インターフェース５５には、たとえば、モデムやＬＡＮアダプタなどを採用することができる。なお、通信インターフェース５５は、電子機器１の有する通信モジュール４７と無線通信により各種の信号を送受する。
【００３７】
図６は、電子機器１の分解図である。図７は、図６に示すコネクタの拡大図である。電子機器１は、電子機器１の筐体内に、通信モジュール４７、アンテナ４８、制御ボード６１、充電器用コネクタ６２、バッテリ６３、縦置き用コネクタ６４、横置き用コネクタ６５、ケーブル６６、６７、６８、を有する。ここで、縦置き用コネクタ６４または横置き用コネクタ６５は、横置き用接続部１２または縦置き用接続部１３の一部である。
【００３８】
通信モジュール４７は、制御ボード６１に搭載される。
【００３９】
アンテナ４８は、電子機器１の筐体の縦置き用コネクタ６４を有していない短手方向の一端側と横置き用コネクタ６５を有していない長手方向の一端側とにそれぞれ配置される。これにより、電子機器１が外部機器２に設置される場合に、筐体に配置された２箇所のアンテナが同時に外部機器２で覆われることはない。また、電子機器１を手で把持して利用する場合には、少なくとも１つのアンテナが、外部機器２または手で覆われてない状態が維持できる。つまり、少なくとも１つのアンテナが、外部機器２または手で覆われてない状態に維持され、アンテナの特性劣化を防ぐことができる。
【００４０】
制御ボード６１は、電子機器１の筐体内の縦置き用コネクタ６４を有していない短手方向と横置き用コネクタ６５を有していない長手方向とに沿った一角に配置され、電子機器１の各種の制御を行う。また、制御ボード６１の長手方向が電子機器１の筐体の長手方向に沿って配置され、横置き用コネクタ６５と対向する位置に、ケーブル６６と接続する制御ボード用コネクタ６９を有する。制御ボード６１は、ＣＰＵ４１、メモリ４２、記憶装置４３を有する。
【００４１】
充電器用コネクタ６２は、バッテリ６３を充電する電力を入力するために設けられる。充電器用コネクタ６２は、電子機器１が充電器と接続された際、充電器と連結されるように構成されている。
【００４２】
バッテリ６３は、筐体内の中央部あるいは中央部付近に配置され、電子機器１に電力を供給する。
【００４３】
縦置き用コネクタ６４は、電子機器１の筐体の一側面の中央部に配置される。縦置き用コネクタ６４は、ケーブル６６とケーブル６７とを接続するコネクタである。さらに、縦置き用接続部１３と設置用接続部２３とが接続される場合に、縦置き用コネクタ６４は、外部機器２の有する設置用コネクタ８０と電気的に接続する。図７の（７−ｂ）に縦置き用コネクタ６４を示す。
【００４４】
横置き用コネクタ６５は、縦置き用コネクタ６４が配置された側面と直交した側面に配置される。横置き用コネクタ６５は、ケーブル６７を接続するコネクタである。さらに、横置き用接続部１２と設置用接続部２３とが接続される場合に、横置き用コネクタ６５は、外部機器２の有する設置用コネクタ８０と電気的に接続する。図７の（７−ａ）に縦置き用コネクタ６４を示す。
【００４５】
ケーブル６６は、制御ボード用コネクタ６９と縦置き用コネクタ６４とに物理的及び電気的に接続される。ケーブル６７は、縦置き用コネクタ６４と横置き用コネクタ６５とに物理的及び電気的に接続される。ケーブル６８は、制御ボード６１とディスプレイ１１を含む表示装置とに物理的及び電気的に接続される。ここで、ケーブル６６の長さとケーブル６７の長さは同じである。さらに、ケーブル６６とケーブル６７とは、同じ径で同じの太さ、同じ種類、同じ形状、同じ構造、同じ性質、同じ重さであってもよい。つまり、電子機器１を組み立てる場合に、作業者により異なるケーブルが取り付けられることを防ぐことができる。これにより、電子機器１の組み立て時での作業者による配線のミスを防ぐことができる
さらに、縦置き用コネクタ６４は、横置き用コネクタ６５と制御ボード用コネクタ６９とをケーブルにより中継して接続する。これにより、電子機器１の重量を軽量化することが出来る。
【００４６】
なお、縦置き用コネクタ６４と横置き用コネクタ６５との配置はいれかえてもよい。この場合は、制御ボード６１の短手方向が電子機器１の筐体の短手方向に沿って配置され、縦置き用コネクタ６４と対向する位置に、ケーブル６６と接続する制御ボード用コネクタ６９を有する。
【００４７】
図８は、電子機器１の有する電源回路９０の一例を示す図である。
【００４８】
電源回路９０は、充電制御回路９１、逆流防止用のダイオード９２−１、９２−２、９２−３、を有する。充電制御回路９１は、バッテリ６３に充電されている充電電圧や充電電流の情報をフィードバックし、外部機器２から供給される電力のバッテリ６３への供給を制御する。
【００４９】
端子Ｐ１と端子Ｐ５との間に逆流防止用のダイオード９２−１が接続される。端子Ｐ２と端子Ｐ４との間に逆流防止用のダイオード９２−２が接続される。端子Ｐ３と端子Ｐ４との間に逆流防止用のダイオード９２−３が接続される。そして、逆流防止用ダイオード９２−１は、端子Ｐ５から端子Ｐ１に電流が流れ込むのを防止する。逆流防止用ダイオード９２−２は端子Ｐ４から端子Ｐ２に電流が流れるのを防止する。逆流防止用のダイオード９２−３は端子Ｐ４から端子Ｐ３に電流が流れ込むのを防止する。
【００５０】
充電器用コネクタ６２が充電器と連結される場合について説明する。充電器用コネクタ６２が充電器と連結される場合に充電器から供給される電力が端子Ｐ１に供給される。端子Ｐ１に供給された電力は、逆流防止用のダイオード９２−１、端子Ｐ５、充電制御回路９１を通じて、バッテリ６３に供給される。このとき、逆流防止用のダイオード９２−２は、端子Ｐ２に当該電力が流入することを遮断する。また、逆流防止用ダイオード９２−３は、端子Ｐ３に当該電力が流入することを遮断する。
【００５１】
縦置き用コネクタ６４が外部機器２の有する設置用コネクタ８０に取り付けられた場合について説明する。縦置き用コネクタ６４が外部機器２の有する設置用コネクタ８０に取り付けられた場合に外部機器２から供給される電力が端子Ｐ３に供給される。端子Ｐ３に供給された電力は、逆流防止用のダイオード９２−３、端子Ｐ４、Ｐ５、充電制御回路９１を通じて、バッテリ６３に供給される。このとき、逆流防止用のダイオード９２−１は、端子Ｐ１に当該電力が流入することを遮断する。また、逆流防止用のダイオード９２−２は、端子Ｐ２に当該電力が流入することを遮断する。
【００５２】
横置き用コネクタ６５が外部機器２の有する設置用コネクタ８０に取り付けられた場合について説明する。横置き用コネクタ６５が外部機器２の有する設置用コネクタ８０に取り付けられた場合に外部機器２から供給される電力が端子Ｐ２に供給される。端子Ｐ２に供給された電力は、逆流防止用のダイオード９２−２、端子Ｐ４、Ｐ５、充電制御回路９１を通じて、バッテリ６３に供給される。このとき、逆流防止用のダイオード９２−１は、端子Ｐ１に当該電力が流入することを遮断する。逆流防止用ダイオード９２−３は、端子Ｐ３に当該電力が流入することを遮断する。
【００５３】
以上のように、外部機器により給電される電力を充電するバッテリを有する電子機器において、第一のコネクタが、第一の側面に配置され、前記バッテリと電気的に接続される。そして、第二のコネクタが、第二の側面に配置され、前記第一のコネクタと電気的に接続される。さらに、電源回路が、前記外部機器の有する第三のコネクタが接続したコネクタとは異なるコネクタに対して前記バッテリを充電する電力の流入を遮断させる。これにより、安全性を考慮したコネクタを有する電子機器を提供することができる。
［第二の実施形態］
次に、本発明に係る第二の実施形態について説明する。第二の実施形態では、電子機器１と外部機器２との接続状況に応じて、外部機器２が電子機器１を制御する。なお、第二の実施形態においても、電子機器１のハード構成は図４にて、外部機器のハード構成については図５にて第一の実施形態において説明済みなのでここでは割愛する。
【００５４】
図９は、本実施例に係る電子機器１と外部機器２との機能ブロックを示す図である。
【００５５】
本実施例に係る電子機器１は、第一の通信手段１０１、特定手段１０２、制御手段１０３、記憶手段１０４を有する。また、外部機器２は、検出手段２０１、第二の通信手段２０２を有する
ここで、第一の通信手段１０１は、例えば図４の入出力インターフェース４４、無線装置４７に対応する。特定手段１０２、制御手段１０３、は、例えば図４のＣＰＵ４１に対応する。記憶手段１０４は、例えば図４のメモリ４２、記憶装置４３に対応する。
【００５６】
また、検出手段２０１は、例えば図４のＣＰＵ５１に対応する。第二の通信手段２０２は、例えば図５の入出力インターフェース５４、通信インターフェース５５に対応する。
【００５７】
第一の通信手段１０１は、後述する第二の通信手段２０２が出力した信号を受信する。また、第二の通信手段２０２が信号を送信する。
【００５８】
特定手段１０２は、第二の通信手段２０２が出力した信号に基づいて、外部機器２の有する設置用コネクタ８０と接続されたコネクタを特定する。
【００５９】
制御手段１０３は、特定手段１０２が特定したコネクタ以外のコネクタに対して外部機器２から供給された電力を遮断する。
【００６０】
記憶手段１０４は、後述する検出テーブル１０００などの各種情報を記憶する。
【００６１】
検出手段２０１は、後述する検知回路３００により、コネクタの端子の状態に基づく信号を検出する。
【００６２】
第二の通信手段２０２は、検出手段２０１が検出した信号を第一の通信手段１０１に送信する。また、第一の通信手段１０１が信号を送信する。
【００６３】
図１０は、電子機器１と外部機器２との接続を検知する検知回路３００の一例を示す図である。
【００６４】
横置き用接続部１２は、横置き用コネクタ６５と当該横置き用コネクタ６５が有する端子Ａ´３０９、端子Ｂ´３１０、端子Ｃ´３１１とから構成される。そして、端子Ａ´３０９と端子Ｃ´３１１とが相互に接続され、端子Ｂ´３１０が未接続である。
【００６５】
縦置き用接続部１３は、縦置き用コネクタ６４と当該縦置き用コネクタ６４が有する端子Ａ´３１２、端子Ｂ´３１３、端子Ｃ´３１４から構成される。そして、端子Ａ´３１２、と端子Ｂ´３１３とが相互に接続され、端子Ｃ´３１４が未接続である。
【００６６】
外部機器２は、設置用コネクタ８０、コネクタ検出回路３０１、電源Ｖｃｃ３０２、電源Ｖｃｃ３０３、プルアップ抵抗３０４、プルアップ抵抗３０５、端子Ａ３０６、端子Ｂ３０７、端子Ｃ３０８を有する。ここで、端子Ａ３０６は接地される。
【００６７】
コネクタ検出回路３０１は、設置用コネクタ８０と接続される横置き用コネクタ６５または縦置き用コネクタ６４ごとに定められるコネクタの端子ｅ１、ｅ２の「解放」または「短絡」の状態に基づき、対応する検出信号を出力する。ここで、「解放」の状態は、接続された端子が未接続であることを意味し、「短絡」の状態は、接続された端子が接地されていることを意味する。
【００６８】
プルアップ抵抗３０４は、内部電源Ｖｃｃ３０２と端子Ｂ３０７の間に接続され、設置用コネクタ８０と接続される縦置き用コネクタ６４または横置き用コネクタ６５に対応する端子Ｂ´の状態に基づき、対応するＨ／Ｌレベルに端子ｅ２を制御する。
【００６９】
プルアップ抵抗３０５は、内部電源Ｖｃｃ３０３と端子Ｃ３０８の間に接続され、設置用コネクタ８０と接続される横置き用コネクタ６５または横置き用コネクタ６５に対応する端子Ｃ´の状態に基づき、対応するＨ／Ｌレベルに端子ｅ１を制御する。
【００７０】
ここで、設置用コネクタ８０に横置き用コネクタ６５または縦置き用コネクタ６４が接続された場合に、端子ｅ１、ｅ２が取り得る状態について説明する。
【００７１】
設置用コネクタ８０と横置き用コネクタ６５とが接続された場合、設置用コネクタ８０の端子Ａ３０６、端子Ｂ３０７、端子Ｃ３０８は、横置き用コネクタ６５の端子Ａ´３０９、端子Ｂ´３１０、端子Ｃ´３１１にそれぞれ接続する。この場合、供給電源が供給される端子Ｃ３０８は接地に接続され、供給電源が供給される端子Ｂ３０７は、未接続である。従って、端子Ｃ３０８は、「短絡」の状態であり、端子Ｂ３０７は、「解放」の状態であるため、コネクタ検出回路３０１は、端子ｅ１でＬレベル、端子ｅ２でＨレベルを検出する。
【００７２】
同様に、設置用コネクタ８０と縦置き用コネクタ６４とが接続された場合、設置用コネクタ８０の端子Ａ３０６、端子Ｂ３０７、端子Ｃ３０８は、縦置き用コネクタ６４の端子Ａ´３１２、端子Ｂ´３１３、端子Ｃ´３１４にそれぞれ接続する。この場合、供給電源が供給される端子Ｃ３０８は未接続であり、供給電源が供給される端子Ｂ３０７は、接地に接続される。従って、端子Ｃ３０８は、「解放」の状態であり、端子Ｂ３０７は、「短絡」の状態であるため、コネクタ検出回路３０１は、端子ｅ１でＨレベル、端子ｅ２でＬレベルを検出する。
【００７３】
一方で、設置用コネクタ８０と縦置き用コネクタ６４または横置き用コネクタ６５とが未接続の場合、供給電源が供給される端子Ｃ３０８は、未接続であり、供給電源が供給される端子Ｂ３０７は、未接続である。従って、端子Ｃ３０８は、「解放」の状態であり、端子Ｂ３０７は、「解放」の状態であるため、コネクタ検出回路３０１は、端子ｅ１でＨレベル、端子ｅ２でＨレベルを検出する。
【００７４】
図１１は、記憶手段１０４に記憶される検出テーブル１０００の一例を示す図である。検出テーブル１０００は、項目「使用形態」１００１、項目「端子ｅ１」１００２、項目「端子ｅ２」１００３を有するレコードを複数レコード分格納している。
【００７５】
項目「使用形態」１００１には、外部機器２に対する電子機器１の使用形態が記憶される。例えば、電子機器１が電力を給電するコネクタについての情報が記憶される。「非ＤＯＣＫ」は、外部機器２に対して電子機器１が取り外されている形態を示す。「横置き」は、外部機器２に対して電子機器１を横置きして横長なディスプレイとする形態を示す。電子機器１は、横置き用コネクタ６５と設置用コネクタ８０とを介して充電する。「縦置き」は、外部機器２に対して電子機器１を縦置きして縦長なディスプレイとする形態を示す。電子機器１は、縦置き用コネクタ６４と設置用コネクタ８０とを介して充電する。
【００７６】
項目「端子ｅ１」１００２は、コネクタ検出回路３０１が、端子ｅ１で検出したレベルが記憶される。項目「端子ｅ２」１００３は、コネクタ検出回路３０１が、端子ｅ２で検出したレベルが記憶される。
【００７７】
ここで、１レコード目では、項目「使用形態」１００１に入力された「非ＤＯＣＫ」と、項目「端子ｅ１」１００２に格納された「Ｈレベル」と、項目「端子ｅ２」１００３に格納された「Ｈレベル」とをそれぞれ対応付けて格納している。
【００７８】
なお、記憶装置５４が検出テーブル１０００を記憶してもよい。
【００７９】
以下、図１２に示すフローチャートを参照して、第二の実施例による外部機器２の動作の一例について説明する。
【００８０】
ステップＳ１０１において、検出手段２０１が設置用コネクタ８０の状態を検出する。具体的には、検出手段２０１が、検知回路３００で検出されたコネクタの状態に基づいて、設置用コネクタ８０の端子Ｂ、端子Ｃついて、「解放」または「短絡」のいずれかの状態を特定する。
【００８１】
ステップＳ１０２において、検出手段２０１が設置用コネクタ８０の端子Ｂが「解放」の状態であり、端子Ｃが「解放」の状態であるか否かを判別する。端子Ｂが「解放」の状態であり、端子Ｃが「解放」の状態である場合は、ステップＳ１０３へ移行する（ステップＳ１０２：ＹＥＳ）。一方で、端子Ｂが「解放」の状態でなく、端子Ｃが「解放」の状態でない場合は、ステップＳ１０４へ移行する（ステップＳ１０２：ＮＯ）。
【００８２】
ステップＳ１０３において、第二の通信手段２０２が、端子ｅ１がＨレベル、端子ｅ２がＨレベルの信号を第一の通信手段１０１に対して送信する。具体的には、第二の通信手段２０２が、通信モジュール４７と通信インターフェース５５とが接続する無線通信に基づいて第一の通信手段１０１に対して当該信号を送信する。
【００８３】
ステップＳ１０４において、検出手段２０１が設置用コネクタ８０の端子Ｂが「解放」の状態であり、端子Ｃが「短絡」の状態であるか否かを判別する。端子Ｂが「解放」の状態であり、端子Ｃが「短絡」の状態である場合は、ステップＳ１０５へ移行する（ステップＳ１０４：ＹＥＳ）。一方で、端子Ｂが「解放」の状態でなく、端子Ｃが「短絡」の状態でない場合は、ステップＳ１０６へ移行する（ステップＳ１０４：ＮＯ）。
【００８４】
ステップＳ１０５において、第二の通信手段２０２が、端子ｅ１がＬレベル、端子ｅ２がＨレベルの信号を第一の通信手段１０１に対して送信する。具体的には、第二の通信手段２０２が、設置用コネクタ８０と横置き用コネクタ６５とを介して第一の通信手段１０１に対して当該信号を送信する。
【００８５】
ステップＳ１０６において、検出手段２０１が、設置用コネクタ８０の端子Ｂが「短絡」の状態であり、端子Ｃが「解放」の状態であるか否かを判別する。端子Ｂが「短絡」の状態であり、端子Ｃが「解放」の状態である場合は、ステップＳ１０７へ移行する（ステップＳ１０６：ＹＥＳ）。一方で、端子Ｂが「短絡」の状態でなく、端子Ｃが「解放」の状態でない場合は、処理を終了する（ステップＳ１０６：ＮＯ）。
【００８６】
ステップＳ１０７において、第二の通信手段２０２が、端子ｅ１がＨレベル、端子ｅ２がＬレベルの信号を第一の通信手段１０１に対して送信する。具体的には、第二の通信手段２０２が、設置用コネクタ８０と縦置き用コネクタ６４とを介して第一の通信手段１０１に対して当該信号を送信する。
【００８７】
ここで、検出テーブル１０００は記憶装置５４に記憶されていてもよい。具体的には、検出手段２０１が、端子ｅ１、端子ｅ２の信号をキーとして検出テーブル１０００の項目「端子ｅ１」１００２、項目「端子ｅ２」１００３がキーに一致するレコードを特定する。そして、特定した項目「端子ｅ１」１００２、項目「端子ｅ２」１００３と対応付けられている項目「使用形態」１００１に格納されているデータを参照して使用形態を特定する。検出手段２０１が、特定された使用形態に基づいて電子機器１を制御する。
【００８８】
以下、図１３に示すフローチャートを参照して、第二の実施例による電子機器１の動作の一例について説明する。
【００８９】
ステップＳ２０１において、第一の通信手段１０１が、第二の通信手段２０２が送信した信号を受信する。
【００９０】
ステップＳ２０２において、特定手段１０２が、受信した端子ｅ１、端子ｅ２、の信号が、端子ｅ１がＨレベル、端子ｅ２がＨレベルの信号であるか否かを判別する。端子ｅ１がＨレベル、端子ｅ２がＨレベルの信号である場合は、ステップＳ２０３へ移行する（ステップＳ２０２：ＹＥＳ）。一方で、端子ｅ１がＨレベル、端子ｅ２がＨレベルの信号でない場合は、ステップＳ２０４へ移行する（ステップＳ２０３：ＮＯ）。
【００９１】
ステップＳ２０３において、制御手段１０３が、縦置き用コネクタ６４、横置き用コネクタ６５に対して給電を停止させる。制御手段１０３が、縦置き用コネクタ６４、横置き用コネクタ６５に対して流入する電力を遮断する。具体的には、制御手段１０３が、端子ｅ１、端子ｅ２の信号をキーとして検出テーブル１０００の項目「端子ｅ１」１００２、項目「端子ｅ２」１００３がキーに一致するレコードを特定する。そして、特定した項目「端子ｅ１」１００２、項目「端子ｅ２」１００３と対応付けられている項目「使用形態」１００１に格納されているデータを参照して制御手段を特定する。また、電子機器１は、通信モジュール４７と通信インターフェース５５とが接続する無線通信に基づいて外部機器２との間で、各種の信号が送受される。具体的には、第一の通信手段１０１が当該無線通信を用いて第二の通信手段２０２と各種の信号を送受する。
【００９２】
ステップＳ２０４において、特定手段１０２が、受信した端子ｅ１、端子ｅ２の信号が、端子ｅ１がＬレベル、端子ｅ２がＨレベルの信号であるか否かを判別する。端子ｅ１がＬレベル、端子ｅ２がＨレベルの信号である場合は、ステップＳ２０５へ移行する（ステップＳ２０４：ＹＥＳ）。一方で、端子ｅ１がＬレベル、端子ｅ２がＨレベルの信号でない場合は、ステップＳ２０７へ移行する（ステップＳ２０４：ＮＯ）。
【００９３】
ステップＳ２０５において、制御手段１０３が、電子機器１を外部機器２に対して長手方向を左右方向に配置したと識別してディスプレイに対して情報を出力する。具体的には、制御手段１０３が、端子ｅ１、端子ｅ２の信号をキーとして検出テーブル１０００の項目「端子ｅ１」１００２、項目「端子ｅ２」１００３がキーに一致するレコードを特定する。そして、特定した項目「端子ｅ１」１００２、項目「端子ｅ２」１００３と対応付けられている項目「使用形態」１００１に格納されているデータを参照して制御手段を特定する。電子機器１のディスプレイ１１に、図１４の（１４−ａ）に示すようにディスプレイの長手方向を左右方向とした情報が表示される。
【００９４】
ステップＳ２０６において、制御手段１０３が、横置き用コネクタ６５と設置用コネクタ８０とを介して充電する。また、制御手段１０３が、縦置き用コネクタ６４に対して流入する電力を遮断する。さらに、電子機器１は、横置き用コネクタ６５と設置用コネクタ８０とを介して外部機器２との間で、各種の信号が送受される。具体的には、第一の通信手段１０１が、横置き用コネクタ６５と設置用コネクタ８０とを介して第二の通信手段２０２と各種の信号を送受する。
【００９５】
ステップＳ２０７において、特定手段１０２が、受信した端子ｅ１、端子ｅ２の信号が、端子ｅ１がＨレベル、端子ｅ２がＬレベルの信号であるか否かを判別する。端子ｅ１がＨレベル、端子ｅ２がＬレベルの信号である場合は、ステップＳ２０８へ移行する（ステップＳ２０８：ＹＥＳ）。一方で、端子ｅ１がＨレベル、端子ｅ２がＬレベルの信号でない場合は、処理を終了する（ステップＳ２０７：ＮＯ）。
【００９６】
ステップＳ２０８において、制御手段１０３が、電子機器１を外部機器２に対して長手方向を上下方向に配置したと識別してディスプレイに対して情報を出力する。具体的には、制御手段１０３が、端子ｅ１、端子ｅ２の信号をキーとして検出テーブル１０００の項目「端子ｅ１」１００２、項目「端子ｅ２」１００３がキーに一致するレコードを特定する。そして、特定した項目「端子ｅ１」１００２、項目「端子ｅ２」１００３と対応付けられている項目「使用形態」１００１に格納されているデータを参照して制御手段を特定する。制御手段１０３が、電子機器１のディスプレイ１１に、図１４の（１４−ｂ）に示すようにディスプレイの長手方向を上下方向とした情報が表示される。
【００９７】
ステップＳ２０９において、制御手段１０３が、縦置き用コネクタ６４と設置用コネクタ８０とを介して充電する。制御手段１０３が、横置き用コネクタ６５に対して流入される電力を遮断する。また、電子機器１は、縦置き用コネクタ６４と設置用コネクタ８０とを介して外部機器２との間で、各種の信号が送受される。具体的には、第一の通信手段１０１が、縦置き用コネクタ６４と設置用コネクタ８０とを介して第二の通信手段２０２と各種の信号を送受する。
【００９８】
以上のように、外部機器２に対して電子機器１が取り外されて使用される場合は、横置き用コネクタ６５、縦置き用コネクタ６４に対して出力される電力を遮断する。外部機器２に対して電子機器１を横長方向に配置して横長なディスプレイとして使用する場合は、横置き用コネクタ６５に対して出力される電力を遮断する。外部機器２に対して電子機器１を縦長方向に配置して縦長なディスプレイとして使用する場合は、縦置き用コネクタ６４に対して出力される電力を遮断する。これにより、安全性を考慮したコネクタを有する電子機器を提供することができる。
【００９９】
なお、上記各実施形態は、その目的を逸脱しない範囲において、互いに組み合わせて実施することが可能である。さらに、本発明は上記各実施の形態例に限定されるものではなく、特許請求の範囲に記載された発明の要旨を逸脱しない限りにおいて、その他の変形例、応用例を含むことは言うまでもない。
［付記］
以下に付記を示す。
（付記１）
電子機器に対して給電する外部機器において、
前記電子機器の有するコネクタと接続する第三のコネクタに対して入力される第一の電圧レベルと該第三のコネクタに対して入力される第二の電圧レベルとをそれぞれ検知する検知回路と、
前記検知回路が検知した前記第一の電圧のレベルと前記第二の電圧レベルとの組み合わせに従って遷移する状態に基づいて、前記第三のコネクタと接続するコネクタを介して信号の送受信を行う第一のモードから無線回線を介して信号の送受信を行う第二のモードに、または、該第二のモードから該第一のモードに切り替えて、前記電子機器に対して信号を送受信させるＣＰＵと、
を備えることを特徴とする外部機器。
（付記２）
前記電子機器の有するコネクタと電気的に接続する第三のコネクタを有し、
前記ＣＰＵは、前記第一の電圧レベルと前記第二の電圧レベルとが異なる場合に、前記電子機器の有する第一のコネクタに対して前記外部機器が給電する電力を受電させ該第一のコネクタとは異なる第二のコネクタに対して該電力の給電を停止させる信号を前記第三のコネクタに出力することを特徴とする付記１に記載の外部機器。
（付記３）
前記電子機器と無線通信を実行する通信装置を有し、
前記ＣＰＵは、前記第一の電圧レベルと前記第二の電圧レベルとが同一のレベルである場合に、前記第一のコネクタと前記第二のコネクタとに対して前記電子機器への給電を停止させる信号を前記通信装置に送信させることを特徴とする付記１または２に記載の外部機器。
（付記４）
外部機器により給電される電力を充電するバッテリを有する電子機器において、
第一の側面に配置され、前記バッテリと電気的に接続される第一のコネクタと、
第二の側面に配置され、前記第一のコネクタと電気的に接続される第二のコネクタと、
前記第一のコネクタが前記外部機器の有する第三のコネクタと接続する場合に、前記第二のコネクタに対して前記バッテリを充電する電力の流入を遮断させ、前記第二のコネクタが該第三のコネクタと接続する場合に、前記第一のコネクタに対して該電力の流入を遮断させる回路と、
を備えることを特徴とする電子機器。
【符号の説明】
【０１００】
１          電子機器
２          外部機器
３          入力装置
１１        ディスプレイ
１２        横置き用接続部
１３        縦置き用接続部
２１        背面部
２２        土台部
２３        設置用接続部
４１        ＣＰＵ
４２        メモリ
４３        記憶装置
４４        入出力インターフェース
４５        表示装置
４６        検出装置
４７        通信モジュール
４８        アンテナ
４９        バス
５１        ＣＰＵ
５２        メモリ
５３        記憶装置
５４        入出力インターフェース
５５        通信インターフェース
６１        制御ボード
６２        充電器用コネクタ
６３        バッテリ
６４        縦置き用コネクタ
６５        横置き用コネクタ
６６        ケーブル
６７        ケーブル
６８        ケーブル
６９        制御ボード用コネクタ
８０        設置用コネクタ
９０        電源回路
９１        充電制御回路
９２−１    逆流防止用のダイオード
９２−２    逆流防止用のダイオード
９２−３    逆流防止用のダイオード
１０１      第一の通信手段
１０２      特定手段
１０３      制御手段
１０４      記憶手段
２０１      検出手段
２０２      第二の通信手段
３００      検知回路
３０１      コネクタ検出回路
３０２      電源Ｖｃｃ
３０３      電源Ｖｃｃ
３０４      プルアップ抵抗
３０６      端子Ａ
３０７      端子Ｂ
３０８      端子Ｃ
３０９      端子Ａ´
３１０      端子Ｂ´
３１１      端子Ｃ´
３１２      端子Ａ´
３１３      端子Ｂ´
３１４      端子Ｃ´
１０００    検出テーブル
１００１    項目「使用形態」
１００２    項目「端子ｅ１」
１００３    項目「端子ｅ２」
【図１】
2015056035.tif 000003
【図２】
2015056035.tif 000004
【図３】
2015056035.tif 000005
【図４】
2015056035.tif 000006
【図５】
2015056035.tif 000007
【図６】
2015056035.tif 000008
【図７】
2015056035.tif 000009
【図８】
2015056035.tif 000010
【図９】
2015056035.tif 000011
【図１０】
2015056035.tif 000012
【図１１】
2015056035.tif 000013
【図１２】
2015056035.tif 000014
【図１３】
2015056035.tif 000015
【図１４】
2015056035.tif 000016